(57)【要約】【課題】循環水に含まれている汚濁物質等が消毒薬剤を注入する注入口に付着して塞ぐことのない消毒薬剤注入装置を提供する。【解決手段】消毒薬剤が入っている消毒薬剤ケース１１と、消毒薬剤を所定分量毎に送り出すポンプ１２と、消毒薬剤が流れるホース１３と、消毒薬剤を注入する注入口１４とを備える消毒薬剤注入装置１０において、注入口１４の下部に、消毒薬剤が落下する空間部２１と、消毒薬剤と水が空間部２１を介して混合する混合部２２とを備え、注入口１４から注入される消毒薬剤を空間部２１で落下させて混合部２２で水と混合させるようにしたものである。これにより、循環水に含まれている汚濁物質等が消毒薬剤を注入する注入口１４に付着して塞ぐことはなく、所定分量毎の消毒薬剤の注入を安定して行い、水の消毒を十分に行うことができる。【選択図】  図１
2004305813.tif 000002
【特許請求の範囲】
【請求項１】
消毒薬剤が入っている消毒薬剤ケースと、前記消毒薬剤を所定分量毎に送り出すポンプと、前記消毒薬剤が流れるホースと、前記消毒薬剤を注入する注入口とを備える消毒薬剤注入装置において、前記注入口の下部に、前記消毒薬剤が落下する空間部と、前記消毒薬剤と循環水が前記空間部を介して混合する混合部とを備え、前記注入口から注入される前記消毒薬剤は前記空間部で落下させて前記混合部で混合させることを特徴とする消毒薬剤注入装置。
【請求項２】
前記空間部は、外部から前記消毒薬剤の注入状況が目視できる透明又は半透明な管であることを特徴とする請求項１に記載の消毒薬剤注入装置。
【請求項３】
循環浄化装置に設置することを特徴とする請求項１または２のどちらかに記載の消毒薬剤注入装置。
【請求項４】
流入する水量を調節する流入水量調節バルブを備えたことを特徴とする請求項１乃至３のいずれかに記載の消毒薬剤注入装置。
【請求項５】
流出する水量を調節する流出水量調節バルブを備えたことを特徴とする請求項１乃至４のいずれかに記載の消毒薬剤注入装置。
【請求項６】
前記空間部における水量の高さを調節する水量高さ調節バルブを備えたことを特徴とする請求項１乃至５のいずれかに記載の消毒薬剤注入装置。
【発明の詳細な説明】
【０００１】
【発明の属する技術分野】
本発明は消毒薬剤注入装置に関し、特に循環浄化装置に設置するものであり、循環水に薬剤を注入して消毒する消毒薬剤注入装置に関する。
【０００２】
【従来の技術】
従来周知のように、循環浄化装置は、浴槽やプール、または温泉等の貯水槽での給水の使用量を少なくすることを目的に開発されたものであり、循環浄化装置は、貯水槽で使用した水を消毒、ろ過することにより浄化し、再び貯水槽に循環させて水を再利用させる装置である。
【０００３】
図４を用いて従来の循環浄化装置の構成を説明する。循環浄化装置１００は、浴槽やプール、または温泉等の貯水槽１２０と、貯水槽１２０から送られてくる水に含まれている髪の毛等を除去する集毛器１３０と、ポンプ１１２の動作により塩素系薬剤等の消毒薬剤が注入される消毒薬剤注入装置１１０と、集毛器１３０で除去できなかった微細な汚濁物質をろ過するろ過器１４０と、再利用する水を適温に加熱する加熱器１５０とを備えている。
【０００４】
つづいて循環浄化装置１００の動作を説明する。貯水槽１２０で使用された水は、貯水槽１２０の吸込口１２１から排出されてパイプ１１６を流れ、集毛器１３０の付近に備えられているポンプ１３２の動作により集毛器１３０に送られる。集毛器１３０においては使用された水に含まれる髪の毛等の汚濁物質は除去できるが、微細な汚濁物質までは除去できない。また、このとき、集毛器１３０に送られる水量はバルブ１３１によって調節される。その後、水は消毒薬剤注入装置１１０に送られ、塩素系薬剤等の消毒薬剤を用いて水を消毒する（図示するＡの位置）。
【０００５】
ここで、消毒薬剤注入装置１１０を用いた消毒薬剤の注入は、図３に示すように、注入口１１４がパイプ１１６内に設けられており、消毒薬剤が入っている消毒薬剤ケース１１１からポンプ１１２の動作により消毒薬剤がホース１１３内を流れ、所定分量毎に注入口１１４から注入している。
【０００６】
消毒薬剤注入装置１１０で消毒された水はろ過器１４０に送られ、ろ過器１４０においては、集毛器１３０で除去できなかった微細な汚濁物質１１５をろ過する。ろ過器１４０の付近にもバルブ１４１が備えられており、ろ過器１４０に送られる水量はバルブ１４１によって調節される。その後、ろ過された水は加熱器１５０に送られて適温に加熱され、水は貯水槽１２０の吐出口１２２から吐出されて再利用されている（例えば、特許文献１参照）。
【０００７】
【特許文献１】
特開平２−２８４６１３号公報
【０００８】
【発明が解決しようとする課題】
このように、循環浄化装置は、貯水槽１２０で使用した水を消毒、ろ過することにより浄化し、再び貯水槽１２０に循環させて水を再利用している。しかしながら、図３を見ても解るように、消毒薬剤注入装置１１０の注入口１１４はパイプ１１６内に設けられているので、消毒薬剤の注入は水の中で行なわれている。このため、集毛器１３０で除去できなかった汚濁物質１１５が注入口１１４に付着して塞いでしまう場合があり、このときには水の消毒を十分に行うことができないという問題があった。また、消毒薬剤注入装置１１０の注入口１１４はパイプ１１６内に設けられているので、オペレータは消毒薬剤の注入状況を目視できず、循環水に含まれている汚濁物質１１５等が注入口１１４に付着して塞いでいることすらも判断できないという問題があった。
【０００９】
本発明はこのような問題に鑑み、循環水に含まれている汚濁物質等が消毒薬剤を注入する注入口に付着して塞ぐことのない消毒薬剤注入装置を提供することを目的とし、また、これに伴い、オペレータが消毒薬剤の注入状況を簡単に目視できる消毒薬剤注入装置を提供する。
【００１０】
【課題を解決するための手段】
本発明の消毒薬剤注入装置は、消毒薬剤が入っている消毒薬剤ケースと、消毒薬剤を所定分量毎に送り出すポンプと、消毒薬剤が流れるホースと、消毒薬剤を注入する注入口とを備える消毒薬剤注入装置において、注入口の下部に、消毒薬剤が落下する空間部と、消毒薬剤と水が空間部を介して混合する混合部とを備え、注入口から注入される消毒薬剤を空間部で落下させて混合部で水と混合させるようにしたものである。これにより、循環水に含まれている汚濁物質等が消毒薬剤を注入する注入口に付着して塞ぐことはなく、所定分量毎の消毒薬剤の注入を安定して行い、水の消毒を十分に行うことができる。
【００１１】
また、本発明の消毒薬剤注入装置の空間部は、外部から消毒薬剤の注入状況が目視できる透明又は半透明な管としたものである。これにより、オペレータは消毒薬剤の注入状況を簡単に目視でき、消毒薬剤が所定分量毎に注入されているか否かの確認ができる。
【００１２】
また、本発明の消毒薬剤注入装置は、循環浄化装置に設置するようにしたものである。これにより、注入口から注入される消毒薬剤を空間部で落下させて混合部で水と混合させるので、集毛器で除去できない微細な汚濁物質が注入口に付着して塞ぐことはない。その結果、安定して所定分量毎の消毒薬剤の注入ができ、ろ過器に入る前の水の消毒を十分に行うことができる。
【００１３】
また、本発明の消毒薬剤注入装置は、流入する水量を調節する流入水量調節バルブを備えたものである。これにより、流入する水量を調節して、消毒薬剤と水を混合させることができ、水の消毒を十分に行うことができる。
【００１４】
また、本発明の消毒薬剤注入装置は、流出する水量を調節する流出水量調節バルブを備えたものである。これにより、流出する水量を調節して、消毒薬剤と水を混合させることができ、水の消毒を十分に行うことができる。
【００１５】
また、本発明の消毒薬剤注入装置は、空間部における水量の高さを調節する水量高さ調節バルブを備えたものである。これにより、水量の高さが高くなって注入口に水が接触しそうな場合に、水量の高さを調節して注入口に水が接触するのを防ぐことができ、水の消毒を十分に行うことができる。
【００１６】
【発明の実施の形態】
以下、図１を用いて本発明の一実施の形態で用いる消毒薬剤注入装置を説明する。消毒薬剤注入装置１０は、塩素系薬剤等の消毒薬剤が入っている消毒薬剤ケース１１と、消毒薬剤を所定分量毎に送り出すポンプ１２と、消毒薬剤が流れるホース１３と、消毒薬剤を注入する注入口１４と、外部から消毒薬剤の注入状況が目視できる透明管１５と、消毒薬剤により消毒された水が流れる混合管１６とを備えている。
【００１７】
透明管１５と混合管１６は連結して備えられており、透明管１５には消毒薬剤を落下させる空間部２１が備えられている。また、空間部２１の下部には微細な汚濁物質を含む循環水と消毒薬剤を混合する混合部２２が備えられている。図においては、混合部２２は透明管１５内に位置している。これにより、循環水は注入口１４に接触することがないので、循環水に含まれている微細な汚濁物質等が注入口１４に付着して塞ぐことはない。その結果、注入口１４からは所定分量毎の消毒薬剤を安定して注入でき、ろ過器に入る前の水の消毒を十分に行うことができる。
【００１８】
また、消毒薬剤注入装置１０には、水量を調節する３種類のバルブが備えられている。つまり、混合管１６内に流入する水量を調節する流入水量調節バルブ１７と、混合管１６内から流出する水量を調節する流出水量調節バルブ１８と、透明管１５または混合管１６内の水量の高さを調節する水量高さ調節バルブ１９、２０を備えている。これら３種類の調節バルブの操作は、透明管１５が外部から簡単に目視できる構造なので、注入口１４の消毒薬剤の注入状況や透明管１５における水の溜まっている状況からオペレータの判断により行なわれる。例えば、水が注入口１４に接触しそうな高さにある場合には、３種類の調節バルブ１７、１８、１９、２０を操作して水量の高さを調節することにより、注入口１４への水の接触を防いで、微細な汚濁物質が注入口１４に付着しないようにする。その結果、注入口１４からは所定分量毎の消毒薬剤を安定して注入でき、ろ過器に入る前の水の消毒を十分に行うことができる。
【００１９】
上記消毒薬剤注入装置１０を設置した循環浄化装置について図２を用いて説明する。循環浄化装置１は、浴槽やプール、または温泉等の貯水槽３０と、貯水槽３０から送られてくる水に含まれている髪の毛等を除去する集毛器４０と、ポンプ１２の動作により塩素系薬剤などの消毒薬剤が注入される上記消毒薬剤注入装置１０と、集毛器４０で除去できなかった微細な汚濁物質をろ過するろ過器５０と、再利用する水を適温に加熱する加熱器６０とを備えている。なお、本実施の形態において、循環浄化装置１への消毒薬剤注入装置１０の取り付けは、パイプ２４に直接取り付けるのではなく、バイパスパイプ２５を用いて取り付けている。薬剤注入を行うときには、この水量調節バルブ２３を操作することにより、水を消毒薬剤注入装置１０に送って消毒する。バイパスパイプ２５を使用することにより、流入水量調節バルブ１７及び流出水量調節バルブ１８はパイプ２４の径に依存することなく、様々な循環浄化装置への消毒薬剤注入装置１０の適用が可能となる。
【００２０】
つづいて循環浄化装置の動作を説明する。貯水槽３０で使用された水は、貯水槽３０の吸込口３１から排出されてパイプ２４を流れ、集毛器４０の付近に備えられているポンプ４２の動作により集毛器４０に送られる。集毛器４０においては髪の毛等の汚濁物質は除去できるが、微細な汚濁物質までは除去できない。また、このとき、集毛器４０に送られる水量はバルブ４１によって調節される。その後、水量調節バルブ２３を操作することにより、水はパイプ２４を流れる一方でバイパスパイプ２５にも流れて消毒薬剤注入装置１０に送られる。消毒薬剤注入装置１０に送られた水は塩素系薬剤等の消毒薬剤を注入することにより、水を消毒する。消毒薬剤注入装置１０においては、安定して所定分量毎の消毒薬剤の注入がされるので、ろ過器５０に入る前の水の消毒を十分に行うことができる。十分に消毒された水はろ過器５０に送られ、ろ過器５０においては、集毛器４０で除去できなかった微細な汚濁物質をろ過する。ろ過器５０の付近にもバルブ５１が備えられており、ろ過器５０に送られる水量はバルブ５１によって調節される。その後、ろ過された水は加熱器６０に送られて適温に加熱され、水は貯水槽３０の吐出口３２から吐出されて再利用される。
【００２１】
【発明の効果】
以上、本発明の消毒薬剤注入装置によれば、注入口から注入される消毒薬剤を空間部で落下させて混合部で水と混合させるようにしたので、循環水に含まれている汚濁物質等が消毒薬剤を注入する注入口に付着して塞ぐことはなく、所定分量毎の消毒薬剤の注入を安定して行い、水の消毒を十分に行うことができる。また、これに伴い、消毒薬剤注入装置の空間部は、外部から消毒薬剤の注入状況が目視できる透明又は半透明な管としたので、オペレータは消毒薬剤の注入状況を簡単に目視でき、消毒薬剤が所定分量毎に注入されているか否かの確認ができる。
【図面の簡単な説明】
【図１】本発明の一実施の形態で用いる消毒薬剤注入装置の概略構成図
【図２】図１の消毒薬剤注入装置を用いた循環浄化装置の概略構成図
【図３】従来の消毒薬剤注入装置の概略構成を示す図
【図４】図３の消毒薬剤注入装置を用いた循環浄化装置の概略構成図
【符号の説明】
１  循環浄化装置
１０  消毒薬剤注入装置
１１  消毒薬剤ケース
１２  ポンプ
１３  ホース
１４  注入口
１５  透明管
１６  混合管
１７  流入水量調節バルブ
１８  流出水量調節バルブ
１９、２０  水量高さ調節バルブ
２１  空間部
２２  混合部
２３  水量調節バルブ
２４  パイプ
２５  バイパスパイプ
３０  貯水槽
３１  吸込口
３２  吐出口
４０  集毛器
４１  バルブ
４２  ポンプ
５０  ろ過器
５１  ポンプ
６０  加熱器
【図１】
2004305813.tif 000003
【図２】
2004305813.tif 000004
【図３】
2004305813.tif 000005
【図４】
2004305813.tif 000006